(57)【要約】  エクササイズマシン用プーリーラックは、支持フレーム、支持フレーム内でほぼ垂直に延在する垂直材、カウンタウエイト、一つ以上のガイドプーリー、ケーブル端部アセンブリ、ならびに、ケーブル端部アセンブリに接続された固定アタッチメント端部およびケーブル端部アセンブリを自由に通過する引っ張り可能端部を有する引っ張りケーブル、を含む。引っ張りケーブルは、引っ張り可能端部にかかる力がカウンタウエイトを持ち上げるように、ケーブル端部アセンブリ、カウンタウエイトプーリー、およびガイドプーリーを通るように配索される。引っ張りケーブルの一つのセクションは、引っ張り可能端部からケーブル端部アセンブリを通って下方に延在してケーブル端部アセンブリより下に取付けられたガイドプーリーのうち一つに至る。
2019534135.tif 000002
【特許請求の範囲】
【請求項１】
エクササイズマシン用プーリーラックであって、
支持フレーム、
前記支持フレーム内でほぼ垂直に延在する垂直材、
一つ以上のカウンタウエイトプーリーを有し、かつ、前記支持フレームに対して垂直方向に移動可能なカウンタウエイト、
前記支持フレームに取付けられた一つ以上のガイドプーリー、
前記垂直材に取付けられたケーブル端部アセンブリ、ならびに、
固定アタッチメント端部アセンブリおよび前記ケーブル端部アセンブリを自由に通過する引っ張り可能端部を有する引っ張りケーブル、を備え、
前記引っ張りケーブルは、前記引っ張り可能端部にかけられる力が前記カウンタウエイトを持ち上げるように、前記ケーブル端部アセンブリ、前記カウンタウエイトプーリー、およびガイドプーリーを通るように配索され、
前記引っ張りケーブルの前記固定アタッチメント端部アセンブリは、前記垂直材の第一の垂直側部に隣接して前記ケーブル端部アセンブリに接続され、かつ、
前記引っ張りケーブルの一つのセクションは、前記引っ張り可能端部から前記ケーブル端部アセンブリを通って下方へ延在して前記垂直材の第二の垂直側部に沿って前記ケーブル端部アセンブリよりも下に取付けられた前記ガイドプーリーのうち一つに至るプーリーラック。
【請求項２】
前記ケーブル端部アセンブリは、前記垂直材に沿って垂直に摺動可能である請求項１に記載のプーリーラック。
【請求項３】
前記ケーブル端部アセンブリは、前記垂直材に沿って複数の位置でロック可能である請求項１に記載のプーリーラック。
【請求項４】
前記ケーブル端部アセンブリは、前記垂直材の複数の孔のいずれかにロック可能である請求項１に記載のプーリーラック。
【請求項５】
前記ケーブル端部アセンブリは、前記垂直材に平行な軸の周りの前記ケーブル端部アセンブリの少なくとも一部の回転を可能とするピボットピンを備える請求項１に記載のプーリーラック。
【請求項６】
前記ケーブル端部アセンブリより上で前記垂直材に取付けられたバーキャッチをさらに備え、前記バーキャッチは、所定の高さでバーベルを支持するように構成される請求項１に記載のプーリーラック。
【請求項７】
前記ケーブル端部アセンブリより上で前記垂直材に取付けられたセーフティスポッターアームをさらに備え、前記セーフティスポッターアームは、前記バーベルが第二の所定の高さよりも下に落下するのを防止するように構成される請求項６に記載のプーリーラック。
【請求項８】
前記ケーブル端部アセンブリは、前記垂直材の底部位置で前記垂直材に取付けられ、
前記バーベルは、前記ケーブル端部アセンブリより上に取付けられた前記バーキャッチ上に載置され、
前記引っ張りケーブルの前記引っ張り可能端部は、前記バーベルに垂直にかかる力が前記カウンタウエイトを持ち上げるように前記バーベルに固定される請求項６に記載のプーリーラック。
【請求項９】
前記引っ張りケーブルは、前記ガイドプーリーのうち一つを通って前記カウンタウエイトプーリーのうちの第一のカウンタウエイトプーリーと前記カウンタウエイトプーリーのうちの第二のカウンタウエイトプーリーとの間に配索される請求項１に記載のプーリーラック。
【請求項１０】
エクササイズマシン用プーリーラックであって、
支持フレーム、
一つ以上のカウンタウエイトプーリーを有し、かつ、前記支持フレームに対して垂直方向に移動可能なカウンタウエイト、
前記支持フレームに取付けられた一つ以上のガイドプーリー、
垂直材に取付けられた移動可能なケーブル端部アセンブリ、
前記ケーブル端部アセンブリの固定接続部から前記垂直材の第一の垂直側部に沿って延在して前記カウンタウエイトプーリーのうちの第一のカウンタウエイトプーリーに至る第一のケーブルセクション、および、
前記ケーブル端部アセンブリの引っ張り可能接続部から前記垂直材の第二の垂直側部に沿って前記ガイドプーリーのうち一つの周りに延在して前記カウンタウエイトプーリーの前記第一のカウンタウエイトプーリーに至る第二のケーブルセクション、を備え、
前記カウンタウエイトは、前記第二のケーブルセクションの前記引っ張り可能接続部にかかる力によって垂直に移動可能であり、
前記垂直材に沿う前記ケーブル端部アセンブリの移動は、前記カウンタウエイトを動かさないプーリーラック。
【請求項１１】
前記第一のケーブルセクションは、前記固定接続部から上方に延在して前記ガイドプーリーのうち一つに至る請求項１０に記載のプーリーラック。
【請求項１２】
前記第一のケーブルセクションは、前記カウンタウエイトプーリーのうちの第二のカウンタウエイトプーリーの周りで前記ケーブル端部アセンブリと前記カウンタウエイトプーリーのうちの前記第一のカウンタウエイトプーリーとの間に延在する請求項１０に記載のプーリーラック。
【請求項１３】
前記第一のケーブルセクションは、前記ガイドプーリーのうち一つのガイドプーリーの周りに前記カウンタウエイトプーリーのうちの前記第一のカウンタウエイトプーリーと前記カウンタウエイトプーリーのうちの前記第二のカウンタウエイトプーリーとの間に延在する請求項１２に記載のプーリーラック。
【請求項１４】
前記第一のケーブルセクションは、前記ガイドプーリーのうち一つのガイドプーリーの周りに前記ケーブル端部アセンブリと前記カウンタウエイトプーリーのうちの第一のカウンタウエイトプーリーとの間に延在する請求項１０に記載のプーリーラック。
【請求項１５】
前記ケーブル端部アセンブリよりも上方で前記垂直材に取付けられたバーキャッチをさらに備え、前記バーキャッチは、所定の高さでバーベルを支持するように構成される請求項１０に記載のプーリーラック。
【請求項１６】
前記ケーブル端部アセンブリよりも上方で前記垂直材に取付けられたセーフティスポッターアームをさらに備え、前記セーフティスポッターアームは、前記バーベルが第二の所定の高さよりも下に落下すること防止するように構成される請求項１５に記載のプーリーラック。
【請求項１７】
前記第一のケーブルセクションおよび前記第二のケーブルセクションは、連続的なケーブル長を画定する請求項１０に記載のプーリーラック。
【請求項１８】
エクササイズマシンを操作する方法であって、
支持フレームの垂直材に沿ってケーブル端部アセンブリを移動するステップであって、前記ケーブル端部アセンブリが、前記垂直材の第一の垂直側部に隣接して引っ張りケーブルの第一の端部への固定アタッチメントを有し、かつ、前記引っ張りケーブルの第二の端部が、前記ケーブル端部アセンブリを通って引っ張り可能であるステップ、および
前記垂直材に沿って複数の位置のうちの一つで前記ケーブル端部アセンブリをロックするステップ、を備え、
前記引っ張りケーブルは、前記第一の端部と前記第二の端部との間に、前記ケーブル端部アセンブリから前記垂直材の第二の垂直側部に沿って下方へ延在し、かつ、前記エクササイズマシンに取付けられた一つ以上のガイドプーリーおよび可動カウンタウエイトに取付けられた一つ以上のカウンタウエイトプーリーを通って配索され、
前記垂直材に沿って前記ケーブル端部アセンブリを移動するステップは、カウンタウエイトの前記位置を変更しない方法。
【請求項１９】
前記カウンタウエイトを持ち上げるために前記引っ張りケーブルの前記第二の端部に力をかけるステップをさらに備え、前記カウンタウエイトは、前記引っ張りケーブルの前記第二の端部にかかる力の方向に関係なく持ち上げられる請求項１８に記載の方法。
【請求項２０】
バーベルを前記引っ張りケーブルの前記第二の端部に取付けるステップをさらに備え、前記バーベルは、前記垂直材に取付けられた少なくとも一つのバーキャッチ上に載置されるように構成される請求項１８に記載の方法。
【発明の詳細な説明】
【技術分野】
【０００１】
〔関連出願の相互参照〕
本願は、２０１６年１１月１５日に出願された米国仮特許出願第６２／４２２３５０号に対する優先権を主張し、特許出願の開示は、参照によりその全体が本願によって援用される。
【０００２】
本開示は、概してエクササイズマシンまたはウエイトマシンに関し、より具体的には、ユーザがケーブルエクササイズマシンでエクササイズを行うために引っ張りケーブルの位置を変化することができる調整可能プーリーラックシステムに関する。
【背景技術】
【０００３】
カウンタウエイトに取付けられたケーブルおよびプーリーシステムを使用するエクササイズマシンが周知となっている。従来、ケーブルエクササイズマシンは、可動カウンタウエイトおよび一つ以上のプーリーが取り付けられる支持フレームを含んでいる。ケーブルは、カウンタウエイトの頂部から垂直に延在し、かつ一つ以上のプーリーを通ってケーブルの自由端へ至るように配索されている。Ｄハンドル、バーベル、またはロープハンドルなどの様々なアタッチメントが、ケーブルの自由端に取付けられうる。
【０００４】
抵抗トレーニングエクササイズは、カウンタウエイトを重力に抗して持ち上げるためにアタッチメントを引き寄せることによって実行される。しばしば、カウンタウエイトは、ユーザが、提供される抵抗量を選択できるように調整可能である。
【０００５】
ケーブルエクササイズマシンの利点の一つは、ケーブルエクササイズマシンにより様々な異なるエクササイズが実行されることを可能にすることであり、その理由は、ユーザがケーブルを引っ張る方向に拘わらず抵抗が提供されるからである。このように、ケーブルエクササイズマシンは、もっぱら単一の方向に抵抗を提供する、または限られた数のエクササイズモーションに対してのみ有用な複数のエクササイズマシンの必要性を減じることになる。
【０００６】
ある種のケーブルエクササイズマシンのさらなる特徴は、ユーザがケーブルを引っ張るアタッチメントポイントが支持フレームに沿って移動可能であり、それによって、エクササイズマシンがより大きな汎用性を有することである。たとえば、ユーザは、バイセプスカールまたはチェストフライなどの下方向への抵抗を必要とするエクササイズに対してアタッチメントポイントを低い位置へ移動することができる。ユーザは、プルダウンなどの上方向への抵抗を必要とするエクササイズに対してアタッチメントポイントを高い位置へ移動することができる。
【０００７】
しかしながら、既存のケーブルエクササイズマシンは、引っ張りケーブルが支持フレームの大部分を遮るので、バーベルチェストプレスに必要なバーキャッチなどの特定のエクササイズを実行するために必要な追加のコンポーネントが、ケーブルエクササイズマシンに取付けることができない点で制限されている。
【０００８】
可動アタッチメントポイントに機能性を提供するとともに、妨げることなく、または引っ張りケーブルによって妨げられることなく他のコンポーネントが支持フレームに取付けられることを可能とするケーブルエクササイズマシンの必要性がある。
【発明の概要】
【発明が解決しようとする課題】
【０００９】
上記説明に鑑み、エクササイズマシンの他のコンポーネントと適合する調整可能なプーリーラックの必要性がある。
【課題を解決するための手段】
【００１０】
本開示の一態様によれば、エクササイズマシン用プーリーラックは、支持フレーム、支持フレーム内でほぼ垂直に延在する垂直材、一つ以上のカウンタウエイトプーリーを有し、かつ、支持フレームに対して垂直方向に移動可能なカウンタウエイト、支持フレームに取付けられた一つ以上のガイドプーリー、垂直材に取付けられたケーブル端部アセンブリ、ならびに、ケーブル端部に取付けられた固定アタッチメント端部およびケーブル端部アセンブリを自由に通過する引っ張り可能端部を有する引っ張りケーブル、を含む。引っ張りケーブルは、引っ張り可能端部にかかる力がカウンタウエイトを持ち上げるように、ケーブル端部アセンブリ、カウンタウエイトプーリー、およびガイドプーリーを通るように配索される。引っ張りケーブルの一つのセクションは、引っ張り可能端部からケーブル端部アセンブリを通って下方に延在してケーブル端部アセンブリより下に取付けられたガイドプーリーのうち一つに至る。
【００１１】
本開示の他の非制限的な一態様によれば、ケーブル端部アセンブリは、垂直材に沿って垂直方向に摺動可能である。
【００１２】
本開示の他の非制限的な一態様によれば、ケーブル端部アセンブリは、垂直材に沿って複数の位置でロック可能である。
【００１３】
本開示の他の非制限的な一態様によれば、ケーブル端部アセンブリは、垂直材の複数の孔のいずれかでロック可能である。
【００１４】
本開示の他の非制限的な一態様によれば、ケーブル端部アセンブリは、垂直材に平行な軸の周りのケーブル端部アセンブリの少なくとも一部の回転を可能とするピボットピンを含む。
【００１５】
本開示の他の非制限的な一態様によれば、プーリーラックは、垂直材に取付けられたバーキャッチをさらに含み、バーキャッチは、所定の高さでバーベルを支持するように構成される。
【００１６】
本開示の他の非制限的な一態様によれば、プーリーラックは、ケーブル端部アセンブリより上で垂直材に取付けられたセーフティスポッターアームをさらに含み、セーフティスポッターアームは、バーベルが第二の所定の高さよりも下に落下するのを防止するように構成される。
【００１７】
本開示の他の非制限的な一態様によれば、ケーブル端部アセンブリは、垂直材の底部位置で垂直材に取付けられ、バーベルは、ケーブル端部アセンブリより上に取付けられたバーキャッチ上に載置され、引っ張りケーブルの引っ張り可能端部は、バーベルに垂直にかかる力がカウンタウエイトを持ち上げるようにバーベルに固定される。
【００１８】
本開示の他の非制限的な一態様によれば、引っ張りケーブルは、ガイドプーリーのうち一つを通ってカウンタウエイトプーリーのうちの第一のカウンタウエイトプーリーとカウンタウエイトプーリーのうちの第二のカウンタウエイトプーリーとの間に配索される。
【００１９】
本開示の他の態様によれば、エクササイズマシン用プーリーラックは、支持フレーム、一つ以上のカウンタウエイトプーリーを有し、かつ、支持フレームに対して垂直方向に移動可能なカウンタウエイト、支持フレームに取付けられた一つ以上のガイドプーリー、垂直材に取付けられたケーブル端部アセンブリ、ケーブル端部アセンブリの固定接続部からカウンタウエイトプーリーのうちの第一のカウンタウエイトプーリーに延在する第一のケーブルセクション、および、ケーブル端部アセンブリの引っ張り可能接続部からガイドプーリーのうち一つの周りに下方に延在してカウンタウエイトプーリーの第一カウンタウエイトプーリーに至る第二のケーブルセクション、を含む。カウンタウエイトは、第二のケーブルセクションの引っ張り可能接続部にかかる力によって垂直に移動可能である。垂直材に沿うケーブル端部アセンブリの移動は、カウンタウエイトを動かさない
【００２０】
本開示の他の非制限的な一態様によれば、第一のケーブルセクションは、固定接続部から上方に延在してガイドプーリーのうち一つに至る。
【００２１】
本開示の他の非制限的な一態様によれば、第一のケーブルセクションは、カウンタウエイトプーリーのうちの第二のカウンタウエイトプーリーの周りでケーブル端部アセンブリとカウンタウエイトプーリーのうちの第一のカウンタウエイトプーリーとの間に延在する。
【００２２】
本開示の他の非制限的な一態様によれば、第一のケーブルセクションは、ガイドプーリーのうち一つのガイドプーリーの周りにカウンタウエイトプーリーのうちの第一のカウンタウエイトプーリーとカウンタウエイトプーリーのうちの第二のカウンタウエイトプーリーとの間に延在する。
【００２３】
本開示の他の非制限的な一態様によれば、第一のケーブルセクションは、ガイドプーリーのうち一つのガイドプーリーの周りにケーブル端部アセンブリとカウンタウエイトプーリーのうちの第一のカウンタウエイトプーリーとの間に延在する。
【００２４】
本開示の他の非制限的な一態様によれば、ケーブル端部アセンブリよりも上方で垂直材に取付けられたバーキャッチをさらに含み、バーキャッチは、所定の高さでバーベルを支持するように構成される。
【００２５】
本開示の他の非制限的な一態様によれば、ケーブル端部アセンブリよりも上方で垂直材に取付けられたセーフティスポッターアームをさらに含み、セーフティスポッターアームは、バーベルが第二の所定の高さよりも下に落下すること防止するように構成される。
【００２６】
本開示の他の非制限的な一態様によれば、第一のケーブルセクションおよび第二のケーブルセクションは、連続的なケーブル長を画定する。
【００２７】
本開示の他の態様によれば、エクササイズマシンを操作する方法は、支持フレームの垂直材に沿ってケーブル端部アセンブリを移動するステップであって、ケーブル端部アセンブリが、引っ張りケーブルの第一の端部への固定アタッチメントを有し、かつ、引っ張りケーブルの第二の端部が、ケーブル端部アセンブリを通って引っ張り可能であるステップ、および、垂直材に沿って複数の位置のうちの一つでケーブル端部アセンブリをロックするステップ、を含む。引っ張りケーブルは、第一の端部と第二の端部との間に、ケーブル端部アセンブリから下方へ延在し、かつエクササイズマシンに取付けられた一つ以上のガイドプーリーおよび可動カウンタウエイトに取付けられた一つ以上のカウンタウエイトプーリーを通って配索される。垂直材に沿ってケーブル端部アセンブリを移動するステップは、カウンタウエイトの位置を変更しない。
【００２８】
本開示の他の非制限的な一態様によれば、本開示に係る方法は、カウンタウエイトを持ち上げるために引っ張りケーブルの第二の端部に力をかけるステップをさらに含み、カウンタウエイトは、引っ張りケーブルの第二の端部にかかる力の方向に関係なく持ち上げられる。
【００２９】
本開示の他の非制限的な一態様によれば、本開示に係る方法は、バーベルを引っ張りケーブルの第二の端部に取付けるステップをさらに含み、バーベルは、垂直材に取付けられた少なくとも一つのバーキャッチ上に載置されるように構成される。
【００３０】
本発明は、以下の項によってさらに規定される。
【００３１】
第１項：エクササイズマシン用プーリーラックであって、支持フレーム、前記支持フレーム内でほぼ垂直に延在する垂直材、一つ以上のカウンタウエイトプーリーを有し、かつ、前記支持フレームに対して垂直方向に移動可能なカウンタウエイト、前記支持フレームに取付けられた一つ以上のガイドプーリー、前記垂直材に取付けられたケーブル端部アセンブリ、ならびに、固定アタッチメント端部アセンブリおよび前記ケーブル端部アセンブリを自由に通過する引っ張り可能端部を有する引っ張りケーブル、を備え、前記引っ張りケーブルは、前記引っ張り可能端部にかけられる力が前記カウンタウエイトを持ち上げるように、前記ケーブル端部アセンブリ、前記カウンタウエイトプーリー、およびガイドプーリーを通るように配索され、前記引っ張りケーブルの一つのセクションは、前記引っ張り可能端部から前記ケーブル端部アセンブリを通って下方へ延在して前記ケーブル端部アセンブリよりも下に取付けられた前記ガイドプーリーのうち一つに至るプーリーラック。
【００３２】
第２項：前記ケーブル端部アセンブリは、前記垂直材に沿って垂直に摺動可能である第１項に記載のプーリーラック。
【００３３】
第３項：前記ケーブル端部アセンブリは、前記垂直材に沿って複数の位置でロック可能である第１または２項に記載のプーリーラック。
【００３４】
第４項：前記ケーブル端部アセンブリは、前記垂直材の複数の孔のいずれかにロック可能である第１から３項のいずれかに記載のプーリーラック。
【００３５】
第５項：前記ケーブル端部アセンブリは、前記垂直材に平行な軸の周りの前記ケーブル端部アセンブリの少なくとも一部の回転を可能とするピボットピンを備える第１から４項のいずれかに記載のプーリーラック。
【００３６】
第６項：前記ケーブル端部アセンブリより上で前記垂直材に取付けられたバーキャッチをさらに備え、前記バーキャッチは、所定の高さでバーベルを支持するように構成される第１から５項のいずれかに記載のプーリーラック。
【００３７】
第７項：前記ケーブル端部アセンブリより上で前記垂直材に取付けられたセーフティスポッターアームをさらに備え、前記セーフティスポッターアームは、前記バーベルが第二の所定の高さよりも下に落下するのを防止するように構成される第１から６項のいずれかに記載のプーリーラック。
【００３８】
第８項：前記ケーブル端部アセンブリは、前記垂直材の底部位置で前記垂直材に取付けられ、前記バーベルは、前記ケーブル端部アセンブリより上に取付けられた前記バーキャッチ上に載置され、前記引っ張りケーブルの前記引っ張り可能端部は、前記バーベルに垂直に及ぼされる力が前記カウンタウエイトを持ち上げるように前記バーベルに固定される第１から７項のいずれかに記載のプーリーラック。
【００３９】
第９項：前記引っ張りケーブルは、前記ガイドプーリーのうち一つを通って前記カウンタウエイトプーリーのうちの第一のカウンタウエイトプーリーと前記カウンタウエイトプーリーのうちの第二のカウンタウエイトプーリーとの間に配索される第１から８項のいずれかに記載のプーリーラック。
【００４０】
第１０項：エクササイズマシン用プーリーラックであって、支持フレーム、一つ以上のカウンタウエイトプーリーを有し、かつ、前記支持フレームに対して垂直方向に移動可能なカウンタウエイト、前記支持フレームに取付けられた一つ以上のガイドプーリー、垂直材に取付けられたケーブル端部アセンブリ、前記ケーブル端部アセンブリの固定接続部から延在して前記カウンタウエイトプーリーのうちの第一のカウンタウエイトプーリーに至る第一のケーブルセクション、および、前記ケーブル端部アセンブリの引っ張り可能接続部から前記ガイドプーリーのうち一つの周りに下方に延在して前記カウンタウエイトプーリーのうちの前記第一カウンタウエイトプーリーに至る第二のケーブルセクション、を備え、前記カウンタウエイトは、前記第二のケーブルセクションの前記引っ張り可能接続部にかかる力によって垂直に移動可能であり、前記垂直材に沿う前記ケーブル端部アセンブリの移動は、前記カウンタウエイトを動かさないプーリーラック。
【００４１】
第１１項：前記第一のケーブルセクションは、前記固定接続部から上方に延在して前記ガイドプーリーのうちの一つに至る第１０項に記載のプーリーラック。
【００４２】
第１２項：前記第一のケーブルセクションは、前記カウンタウエイトプーリーのうちの第二のカウンタウエイトプーリーの周りで前記ケーブル端部アセンブリと前記カウンタウエイトプーリーのうちの前記第一のカウンタウエイトプーリーとの間に延在する第１０または１１項に記載のプーリーラック。
【００４３】
第１３項：前記第一のケーブルセクションは、前記ガイドプーリーのうち一つのガイドプーリーの周りに前記カウンタウエイトプーリーのうちの前記第一のカウンタウエイトプーリーと前記カウンタウエイトプーリーのうちの前記第二のカウンタウエイトプーリーとの間に延在する第１０から１２項のいずれかに記載のプーリーラック。
【００４４】
第１４項：前記第一のケーブルセクションは、前記ガイドプーリーのうち一つのガイドプーリーの周りに前記ケーブル端部アセンブリと前記カウンタウエイトプーリーのうちの第一のカウンタウエイトプーリーとの間に延在する第１０から１３項のいずれかに記載のプーリーラック。
【００４５】
第１５項：前記ケーブル端部アセンブリよりも上方で前記垂直材に取付けられたバーキャッチをさらに備え、前記バーキャッチは、所定の高さでバーベルを支持するように構成される第１０から１４項のいずれかに記載のプーリーラック。
【００４６】
第１６項：前記ケーブル端部アセンブリよりも上方で前記垂直材に取付けられたセーフティスポッターアームをさらに備え、前記セーフティスポッターアームは、前記バーベルが第二の所定の高さよりも下に落下すること防止するように構成される第１０から１５項のいずれかに記載のプーリーラック。
【００４７】
第１７項：前記第一のケーブルセクションおよび前記第二のケーブルセクションは、連続的なケーブル長を画定する第１０から１６項のいずれかに記載のプーリーラック。
【００４８】
第１８項：エクササイズマシンを操作する方法であって、支持フレームの垂直材に沿ってケーブル端部アセンブリを移動するステップであって、前記ケーブル端部アセンブリが、引っ張りケーブルの第一の端部への固定アタッチメントを有し、かつ、前記引っ張りケーブルの第二の端部が、前記ケーブル端部アセンブリを通って引っ張り可能であるステップ、および、前記垂直材に沿って複数の位置のうちの一つで前記ケーブル端部アセンブリをロックするステップ、を備え、前記引っ張りケーブルは、前記第一の端部と前記第二の端部との間に、前記ケーブル端部アセンブリから下方へ延在し、かつ、前記エクササイズマシンに取付けられた一つ以上のガイドプーリーおよび可動カウンタウエイトに取付けられた一つ以上のカウンタウエイトプーリーを通って配索され、前記垂直材に沿って前記ケーブル端部アセンブリを移動するステップは、カウンタウエイトの前記位置を変更しない方法。
【００４９】
第１９項：前記カウンタウエイトを持ち上げるために前記引っ張りケーブルの前記第二の端部に力をかけるステップをさらに備え、前記カウンタウエイトは、前記引っ張りケーブルの前記第二の端部にかかる力の方向に関係なく持ち上げられる第１８項に記載の方法。
【００５０】
第２０項；バーベルを前記引っ張りケーブルの前記第二の端部に取付けるステップをさらに備え、前記バーベルは、前記垂直材に取付けられた少なくとも一つのバーキャッチ上に載置されるように構成される第１８または１９項に記載の方法。
【００５１】
高低プーリーラックの上記および他の機能および特徴は、添付の図面を参照して以下の説明および添付の特許請求の範囲を考察することによってより明白になり、添付の図面は全て、本明細書の一部をなし、同様な参照番号は、様々な図面において対応する部分を指す。しかしながら、図面は、例示および説明を目的としているに過ぎず、本開示の制限事項を定義することは意図していないことが明白に理解することができる。本明細書および本特許請求の範囲において使用される場合、「一つ（a）」、「一つ（an）」、および「前記（the）」という単数形は、文脈上明らかに否定されない限り、複数の指示物を含む。
【図面の簡単な説明】
【００５２】
【図１】高低プーリーラックシステムを含むケーブルエクササイズマシンの斜視図。
【図２】図１のエクササイズマシンの正面図。
【図３】図１のエクササイズマシンの側面図。
【図４】図１のエクササイズマシンの平面図。
【図５】高低プーリーラックシステムのケーブルの概略図。
【図６】バーベルおよびバーベルフックを有する図１のケーブルエクササイズマシンの斜視図。
【図７】図６のエクササイズマシンの正面図。
【図８】図６のエクササイズマシンの側面図。
【図９】図６のエクササイズマシンの平面図。
【図１０】ユーザがチェストプレスエクササイズを行っている図６のエクササイズマシンの側面図。
【図１１】ユーザがプルダウンエクササイズを行っている図１のケーブルエクササイズマシンの側面図。
【図１２】他のカウンタウエイト配置を示す図６のエクササイズマシンの側面図。
【発明を実施するための形態】
【００５３】
以降の説明のために、用語「上の（upper）」、「下の（lower）」、「右の（right）」、「左の（left）」、「垂直な（vertical）」、「水平な（horizontal）」、「頂部の（top）」、「底部の（bottom）」、「側方の（lateral）」、「長手の（longitudinal）」、およびそれらの派生語は、これらの用語が図面上で配向されている場合の本開示に関連する。しかしながら、本開示は、特段の定めがない限り、代替的な変更およびステップの順序を取ることができることを理解すべきである。添付の図面に例示されかつ以下の明細書に記載される特定のデバイスおよびプロセスは、本開示の単なる例示的態様であることも理解すべきである。したがって、本明細書で開示される態様に関連する特定の寸法および他の物理的特徴は、制限的なものであると考えられるべきではない。
【００５４】
本開示は、概してエクササイズマシンまたはウエイトマシンに関し、より具体的には、ユーザがケーブルエクササイズマシンまたはウエイトマシンでエクササイズを行うために引っ張りケーブルの位置を変えることができる調整可能高低プーリーラックに関する。エクササイズマシンまたはウエイトマシンおよび高低プーリーラックシステムのコンポーネントの特定の態様が図１から図１２で説明される。
【００５５】
ここで図１から図４を参照すると、高低プーリーラック１００を含むエクササイズマシン１０が示されている。エクササイズマシン１０は、カウンタウエイト２００および高低プーリーラック１００のコンポーネントが取付けられる支持フレーム１２を含んでいる。特に、高低プーリーラック１００は、垂直材１０１、ケーブル端部アセンブリ１１０、および引っ張りケーブル１２１を含んでいる。図１で説明されるように、エクササイズマシン１０は、エクササイズマシン１０に縦列に配置された一対の高低プーリーラック１００を示している。しかしながら、他の態様では、単一の高低プーリーラック１００が使用されてもよいことを理解すべきである。
【００５６】
ここで図２を参照すると、各垂直材１０１は、垂直材１０１に沿って垂直に離間された複数のインデックス孔１０２を含んでいる。複数のインデックス孔１０２は、ケーブル端部アセンブリ１１０を垂直材１０１に対してロックするためにケーブル端部アセンブリ１１０のポッパーピン１１１と連携する。各ケーブル端部アセンブリ１１０のポッパーピン１１１は、複数のインデックス孔１０２のいずれか一つのインデックス孔１０２に対してロックすることができ、ユーザが垂直材１０１の望ましい垂直位置にケーブル端部アセンブリ１１０を配置することを可能にする。
【００５７】
ここで図３を参照すると、高低プーリーラックシステム１００の各ケーブル端部アセンブリ１１０は、ポッパーピン１１１、上端プーリー１１２、および下端プーリー１１３を含んでいる。上端プーリー１１２および下端プーリー１１３は、引っ張りケーブルの両側に配置され、引っ張りケーブル１２１は、引っ張りケーブル１２１がユーザによって下方または上方のいずれに引っ張られようとも支持されるようになっている。引っ張りケーブル１２１がユーザによって下方に引っ張られると、引っ張りケーブル１２１は、下端プーリー１１３と少なくとも部分的に係合する。逆に、引っ張りケーブル１２１が上方に引っ張られると、引っ張りケーブル１２１は、上端プーリー１１２と少なくとも部分的に係合する。ケーブル端部アセンブリ１１０は、上端プーリー１１２および下端プーリー１１３が垂直材１０１に平行な軸の周りに回転することを可能とするピボットピン１１４を含むことができる。このように、上端プーリー１１２および下端プーリー１１３は、引っ張りケーブル１２１が引っ張られる方向に水平に自己整列することができる。
【００５８】
引き続いて図３を参照すると、引っ張りケーブル１２１の固定端接続部１２２が、ケーブル端部アセンブリ１１０に取付けられる。引っ張りケーブル１２１の引っ張り可能端部１２３は、上端プーリー１１２と下端プーリー１１３の間で自由にケーブル端部アセンブリ１１０を通過する。引っ張り可能端部１２３は、引っ張り可能端部１２３が上端プーリー１１２および下端プーリー１１３を通って滑って戻ることを防止する保持デバイス１２４を含んでいる。保持デバイス１２４は、たとえば、上端プーリー１１２と下端プーリー１１３との間を通過することができない程度の大きさの、引っ張りケーブル１２１の一部を包囲するボールであってもよい。
【００５９】
ここで図５を参照すると、引っ張りケーブル１２１は、固定端接続部１２２からカウンタウエイト２００を通ってケーブル端部アセンブリ１１０における引っ張り可能端部１２３に戻るように配索されている。より具体的には、引っ張りケーブル１２１は、エクササイズマシン１０の支持フレーム１２に取付けられた一つ以上のガイドプーリー１３０およびカウンタウエイト２００に取付けられた一つ以上のカウンタウエイトプーリー１３１を通るように配索されている。ガイドプーリー１３０およびカウンタウエイトプーリー１３１の各々は、引っ張りケーブル１２１の方向を変化させる。引っ張りケーブル１２１の第一のセクション１２１ａは、ケーブル端部アセンブリ１１０の固定端接続部１２２からカウンタウエイトプーリー１３１のうちの一つまで延在し、カウンタウエイト２００の重量が引っ張りケーブル１２１に張力を与えるようにする。引っ張りケーブル１２１の第一のセクション１２１ａは、ガイドプーリー１３０のうちの一つ以上の周りに配索されて、第一のセクション１２１ａをさらに案内して安定させることができる。引っ張りケーブル１２１の第二のセクション１２１ｂは、カウンタウエイトプーリー１３１のうちの一つから引っ張りケーブル１２１の引っ張り可能端部１２３へ延在し、カウンタウエイト２００によって引っ張りケーブル１２１に与えられる張力が、引っ張りケーブル１２１の引っ張り可能端部１２３をケーブル端部アセンブリ１１０の方へ誘導するようにする。第二のセクション１２１ｂは、エクササイズマシン１０の他のコンポーネントが妨げることなく、または、第二のセクション１２１ｂによって妨げられることなくケーブル端部アセンブリ１１０の上方で垂直材１０１に取付けられることができるようにケーブル端部アセンブリ１１０から下方へ延在している。引っ張りケーブル１２１の第二のセクション１２１ｂは、ガイドプーリー１３０のうちの一つ以上の周りに配索されて第二のセクション１２１ｂをさらに案内して安定させることができる。
【００６０】
引き続いて図５を参照すると、上記引っ張りケーブル１２１のケーブルの配索構成によって、ケーブル端部アセンブリ１１０は、ユーザが望むように、垂直材１０１に沿って垂直に調整されることができる。ケーブル端部アセンブリ１１０のポッパーピン１１１が解除され、かつ、ケーブル端部アセンブリ１１０が垂直材１０１の上または下に移動されると、引っ張りケーブル１２１は、カウンタウエイト２００を動かすことなくガイドプーリー１３０およびカウンタウエイトプーリー１３１上を自由に移動する。
【００６１】
ここで図６から図９を参照すると、ユーザ５０がチェストプレスエクササイズを行うために配置された高低プーリーラック１００を有するエクササイズマシン１０が示されている。バーベル３０は、垂直材１０１に取付けられたバーキャッチ３１上に配置されている。加えて、セーフティスポッターアーム３２が、バーキャッチ３１の下方で垂直材１０１に取付けられている。ケーブル端部アセンブリ１１０は、バーキャッチ３１およびセーフティスポッターアーム３２より下の位置で垂直材１０１に取付けられている。引っ張りケーブル１２１の引っ張り可能端部１２３は、ケーブル端部アセンブリ１１０の上端プーリー１１２の周りに配索され、かつ引っ張り可能端部１２３は、バーベル３０を押し上げることによって張力が引っ張りケーブル１２１に与えられるようにバーベル３０に留められる。ここで図１０を参照すると、ユーザ５０によって十分な力がバーベル３０にかけられると、引っ張りケーブル１２１を介して伝達された力が、カウンタウエイト２００を上昇させる。
【００６２】
ここで図１１を参照すると、ユーザ５０がプルダウンエクササイズを実行するために配置された高低プーリーラックシステム１００を有するエクササイズマシン１０が示されている。ケーブル端部アセンブリ１１０は、ユーザ５０よりも上の位置で垂直材１０１に取付けられており、バーまたは他のグリッピングデバイス４０は、引っ張りケーブル１２１の引っ張り可能端部１２３に取付けられている。引っ張り可能端部１２３は、ケーブル端部アセンブリ１１０の下端プーリー１１３の周りに配索され、ユーザ５０は、カウンタウエイト２００を持ち上げるために引っ張りケーブル１２１に下向きの力をかける。
【００６３】
カウンタウエイト２００の様々な実施形態が、高低プーリーラック１００とともに使用されることができる。図１から図１１は、カウンタウエイト２００のためのトロリー配置を説明している。図１および図７に戻ると、トロリー２０１は、カウンタウエイトプーリー１３１を収容している。トロリーは、引っ張りケーブル１２１がユーザ５０によって引っ張られると、支持フレーム１２のガイドを上下に摺動させる。トロリー２０１は、ほぼ外方に突出する一つ以上のペグ２０２を有することができ、標準のウエイトリフティングプレート２０３がペグ２０２に積まれることができる。
【００６４】
あるいは、カウンタウエイト２００は、図１２に示されるように、ウエイトスタック構成であってもよい。ウエイトスタック構成は、支持フレーム１２に接続された一つ以上のガイドシャフト２１２に沿って摺動する、軸方向に整列された穿孔を有する複数のプレート２１１を含む。キャリア２１３がカウンタウエイトプーリー１３１を収容している。ピン２１４または他のロック機構が、複数のプレート２１１の一つ以上のプレート２１１をキャリア２１３に固定するために使用されることができる。このように、引っ張りケーブル１２１が引っ張られると、キャリア２１３およびキャリア２１３に固定された任意のプレート２１１がユーザ５０に抵抗を提供する。
【００６５】
高低プーリーラック１００の様々な態様が上記で提供されたが、当業者は、本発明の範囲および精神から逸脱することなく、これらの態様に対して変更および改変を行うことができる。たとえば、本開示は、可能な程度で、任意の態様の一つ以上の特徴が任意の他の態様の一つ以上の特徴と組み合わせることができることを意図していると理解すべきである。したがって、上記説明は、制限するのでなく例示することを意図している。上記の本発明は、添付の特許請求の範囲によって規定され、特許請求の範囲の均等物の意味と範囲内に入る本発明に対する全ての変化は、それらの範囲内に包含することができる。
【図１】
2019534135.tif 000003
【図２】
2019534135.tif 000004
【図３】
2019534135.tif 000005
【図４】
2019534135.tif 000006
【図５】
2019534135.tif 000007
【図６】
2019534135.tif 000008
【図７】
2019534135.tif 000009
【図８】
2019534135.tif 000010
【図９】
2019534135.tif 000011
【図１０】
2019534135.tif 000012
【図１１】
2019534135.tif 000013
【図１２】
2019534135.tif 000014
【国際調査報告】
2019534135.tif 000015